(57)【要約】【課題】  単に臀部の加温に止まらず、より浸透性の高い温熱効果を有し、また、温気の循環を効果的に維持しうるとともに、さらには、蒸気浴による温浴をなし得る等、多機能の作用を発揮する温浴用椅子およびこれに使用する温浴装置を提供することである。【解決手段】  本発明にかかる温浴用椅子は、椅子の座板の下部に加温器具を配置してなる温浴用椅子であって、座板に開設した温気の排出する開口部に、通気を維持し、臀部を支承する蓋体を設置し、また、椅子の座板の下部に温浴器具を配置してなる温浴用椅子の温浴装置であって、容器の底面付近に加熱ヒータを設け、かつ、該加熱ヒータの上方にセラミック体を設けたものである。【選択図】    図１
2005329228.tif 000002
【特許請求の範囲】
【請求項１】
椅子の座板の下部に加温器具を配置してなる温浴用椅子であって、座板に開設した温気の排出する開口部に、通気を維持し、臀部を支承する蓋体を設置したことを特徴とする温浴用椅子。
【請求項２】
椅子の座板の下部に温浴器具を配置してなる温浴用椅子の温浴装置であって、容器の底面付近に加熱ヒータを設け、かつ、該加熱ヒータの上方にセラミック体を設けたことを特徴とする温浴装置。
【請求項３】
請求項２記載の温浴装置において、セラミック体がゲルマニューム、銀等の金属類を混合したものであることを特徴とする温浴装置。
【請求項４】
請求項２、３記載の温浴装置において、容器の底部に送風ファンを設けたことを特徴とする温浴装置。
【請求項５】
請求項２〜４記載の温浴装置において、セラミック体の上部に液体を供給するノズルを温浴装置の上部に配置し、該ノズルに連通する液体タンクを設置したことを特徴とする温浴装置。
【請求項６】
請求項１ないし５記載の温浴用椅子温あるいは浴装置において、椅子の一部あるいは温浴装置の一部に振動発生部材を設置したことを特徴とする温浴用椅子温または温浴装置。
【請求項７】
請求項２〜６記載の温浴装置において、椅子の背もたれに突起を設けたことを特徴とする温浴装置。
【発明の詳細な説明】
【技術分野】
【０００１】  この発明は、身体の臀部あるいは股間部分等を加温する温浴用椅子、および、温浴装置に関する。
【背景技術】
【０００２】  外気に曝された環境下において作業に従事する場合に、防寒対策として被服を重ねて着用し、あるいは、手近に暖房器具を配置する等して寒気から保護する対策が行われている。身体における各部分にあって、寒気による体温の低下現象を呈するが、特に、臀部は他の部位に比して低温状態になり、この臀部を加温することによって身体全体が昇温し、寒気を回避することができることはしばしば経験するところであり、このため旧来から、臀部を加温するために電気式の保温器具が余多使用され、あるいは、電気の使用できない場合にあっては、座板下部に炭、練炭等を燃料とする発熱体（コンロ）を装備せしめてなる椅子を使用し、暖をとることが行われている。【０００３】  また、前述の椅子に類するものとして、健康を維持し、病気の予防を図るために、薬用植物の有用部分を乾燥させた薬草薬を浴湯料として用い、薬草類の保有する湯上がり後の温感効果、冷え防止効果を利用する温浴法として特開平１０−３３６３０が提案されている。この温浴法は、薬草類の水性抽出液を含有する浴液を容器に適量を収容し、ヒータで浴液を３５〜６０℃に加熱し、座板に入浴者を座らせて、素肌の股間部分に通常１０〜３０分程度の時間をかけて、薬草類の水性抽出成分を含んだ水蒸気を当て、身体の股間部分に集中的に薬草の有効成分を接触させ、該部分における毛細血管などを介し、薬草類の水性有効成分が効率よく吸収させ得る浴用の装置が提案されている。
【特許文献１】  特開平１０−３３６３０号公報
【０００４】  ところで、前述する従来使用される臀部を加温する暖房用椅子、あるいは、特許文献１に開示される椅子の何れにあっても、人が座る座板に臀部に温熱を流通させるために、臀部に温気を供給するために開口部を開設し、この開口に臨む直下部分に温熱発生器具を配置するもので、前記開口部を上昇する温気によって、臀部に温熱を放射するようにしたものであるが、その使用時において前記開口部が臀部によって閉塞され、このために温熱発生器具により発生した温気を十分に活用することができず、また、温気を身体に対して作用させるためには、身体の着座位置をずらすことにより、温気の流動を確保するなど使用上において不都合があった。【０００５】  また、従来使用される臀部を加温する温浴用椅子にあっては、温気の浸透性、換言すれば、温気の身体内部への浸透性が不十分なものであり、加えて、特許文献１に開示される椅子にあっては、加熱した蒸気を利用するために蒸気を効果的に作用させる各別の設備を必要とするなど、単一の機能しか達成しえないものである。
【発明の開示】
【発明が解決しようとする課題】
【０００６】  本発明は前述の諸点に鑑みなされたもので、単に臀部の加温に止まらず、より浸透性の高い温熱効果を有し、また、温気の循環を効果的に維持しうるとともに、さらには、蒸気浴による温浴をなし得る等、多機能の作用を発揮する温浴用椅子およびこれに使用する温浴装置を提供することである。
【課題を解決するための手段】
【０００７】  前述の課題を達成するための本発明にかかる温浴用椅子の構成は、椅子の座板の下部に加温器具を配置してなる温浴用椅子であって、座板に開設した温気の排出する開口部に、通気を維持し、臀部を支承する蓋体を設置した点に存するものである。【０００８】  また、本発明にかかる温浴装置の構成は、椅子の座板の下部に温浴器具を配置してなる温浴用椅子の温浴装置であって、容器の底面付近に加熱ヒータを設け、かつ、該加熱ヒータの上方にセラミック体を設けた点に存するものである。【０００９】  さらに、本発明にかかる温浴装置の構成は、セラミック体にゲルマニューム、銀等の金属類を混合したものであることを特徴とする温浴装置。【００１０】  さらに、本発明にかかる温浴装置の構成は、容器の底部に送風ファンを設けた点に存するものである。【００１１】  さらにまた、本発明にかかる温浴装置の構成は、セラミック体の上部に液体を供給するノズルを温浴装置の上部に配置し、該ノズルに連通する液体タンクを設置した点に存するものである。【００１２】  加えて、本発明にかかる温浴装置の構成は、椅子の一部あるいは温浴装置の一部に振動発生部材を設置した点に存するものである。【００１３】  また、本発明にかかる温浴装置の構成は、椅子の背もたれに突起を設けた点に存するものである。
【発明の効果】
【００１４】  本発明によれば、椅子の座板に開設した温気の排出する開口部に、臀部を支承する蓋体を設置することにより、座板の下部に配置した温浴器具から発生する温気の通気性を座板への着席位置に係わり無く維持することを可能とし、さらに、単純な温熱による暖房効果に加えて、セラミックス体に対して液体（水）を供給することによって蒸気浴としても使用しうるなど、多機能の使用を可能にし、さらには、セラミックスを使用することによって遠赤外線による暖房効果を促進するのみならず、セラミックス体に極微量のゲルマニュームを含有させることにより、セラミックス体にマイナスイオン放射機能を具備せしめることにより毛細血管を拡張させ、血流促進効果を奏する等その効果は絶大なものである。
【実施例】
【００１５】  以下、図示の実施例に基づいて本発明にかかる温浴椅子について説明する。
１は温浴椅子（以下、単に椅子と称する。）で、陶器、プラスチック、木質、金属等の種々の材料で構成することができる。この椅子１は単純には脚部２と、その脚部２に支承された座板３から構成され、前記座板３の中央部には開口４が開設されている。この開口４に形成された断部４’に加熱器５の上端縁に形成された環状の鍔部５ａが係合するように陥没上に装着されてなり、該加熱器５の上面に加熱器５から送出される温気の通過を確保する通気孔７を形成してなる金属製あるいはセラミック製の蓋体６を載置している。【００１６】  図示の実施例においては、加熱器５は開口４の上部から装入する形式を、また、蓋体６は加熱器５の上部に直接的に載置する構成を採用しているが、図６に一例を示すように、座板３の下面に一対のＬ字状のスライドレール３ａを設け、加熱器５の上端縁に形成された環状の鍔部５ａを利用して前記スライドレール３ａ内を摺動させるように構成し、さらに、蓋体６については、座板３の中央部に開設されている開口４に形成された断部４’に嵌着するように構成することも可能で、加えて、蓋体６は、座板３の表面と同一の平面となる平板状に形成されているが、上方に緩やかに湾曲する円弧面（アーチ状）に形成することも可能であり、特に、その形状としては自由に採用し得るものである。【００１７】  加熱器５は、函体８の底部に適宜の空間を形成するように支持脚９で支持された金網製あるいはセラミックス製の底板１０を固定してなり、該底板１０の上面（下面でもよい）に赤外線ヒータ、赤外線ランプ、さらには、面状あるいは管状の適宜形状の加熱ヒータ１１を採用しえるものであり、さらに、この底板１０の任意の位置に、加熱ヒータ１１の過熱を感知し自動的に加熱ヒータ１１への通電を遮断する感温ヒューズ１３が設置されている。この加熱ヒータ１１の上部にセラミック体１２を適当な厚み（嵩高さ）となるように充填するとともに、本発明の温浴椅子１は前述するセラミック体１２の加熱による自然対流による気流に基づく加温であるが、必要に応じて、函体８の底部に開設された開口１４に送風機１５を取り付け、温風の強制送風による加温が行えるように配慮されている。【００１８】  前述するセラミック体１２は、図示の実施例にあっては球状に形成されたものであるが、通気を確保するために多数の小孔を開設した板状体とすることも可能であり、また、このセラミックス体１２は赤土を球状に形成したものであるが、赤土に極微量のゲルマニュームを含有させ球状に形成したものとすることも可能で、ゲルマニュームを含有させることによって、セラミックス体１２にマイナスイオンの放射機能が具備されることになり、かかるセラミックス体１２を使用することにより毛細血管を拡張させ、血流促進効果を奏し、また銀を混合せしめることによって、消毒、滅菌効果を得ることができる。【００１９】  さらに、本発明の温浴椅子および温浴装置は図５に示される構成を採用することも可能なものである。即ち、温浴装置として加熱器５あるいは温浴椅子１の座板３に液体タンク１６を併設し、この液体タンク１６に連通するノズル１７を加熱器５の内部へ導入し、セラミック体１２の上面に液体を撒布とする。かかる構成を採用することによっ���、液体の種類を選択することにより温浴椅子１に多彩な使用法を提供する。詳述すれば、使用する液体の種類を適宜選択するもので、水を採用する場合にあっては、セラミック体１２により水を蒸散せしめる蒸気浴として、また、薬草の抽出液からなる薬草エキスを使用する場合には、薬草の保温効果を得られ、また、香料（液状）を使用する場合にあってはアロマセラピーの効果を得ることができる。【００２０】  また、温浴椅子１の任意の場所、例えば、座板３、加熱器５、あるいは、蓋体６の何れかにバイブレータ１８を設けることも可能であり、バイブレータ１８の振動により使用者に対するマッサージ効果を奏するもので、かかる場合、温浴椅子１に背もたれ１９を設け、この背もたれ１９においてマッサージ効果を有する突起２０を設け、同時に使用者の背中に対するマッサージを行うようにするもので、該突起２０にバイブレータ１８を付設すること、換言すれば、背もたれ１９に振動マッサージ器を設置することも可能である。【００２１】  前述するバイブレータ１８の振動は、単にマッサージ効果に止まらず、更なる効果を有するもので、即ち、セラミック体１２として微量のゲルマニュームを含有させたものを使用する場合において、前記バイブレータ１８による振動がセラミック体１２に伝達し、セラミック体１２が振動するとき、マイナスイオンの発生を活発化することが確認されており、これにより温浴効果がさらに増大する。【００２２】  なお、図中２１は加熱器５のオンオフスウィッチを示すものであるが、加熱器５のオンオフと温度、送風機１５のオンオフ、バイブレータ１８のオンオフ、液体タンク１６からセラミック体１２への供給等の制御を一元的、かつ、一体的に行うコントローラとすることも可能であり、また、椅子構造としてリクライニング構造を採用することも可能である。【００２３】  前述の構成を有する温浴椅子について、その使用態様の一例について説明する。
使用者Ｓは温浴椅子１の座板３の上部中央に座り、電源（図示を省略。）を入れると、加熱器５における函体の底部に配置された加熱ヒータ１１に通電され、同時に、その下方の底部に設置された送風機１５にも通電され、前記加熱ヒータ１１が発熱してセラミック体１２を加熱することとなり、送風機１５による送風がセラミック体１２により温風となり、加熱器５の上部に載置された蓋体６の通気孔７を通って使用者Ｓの臀部、あるいは、股間部に供給され、当該部位を、あるいは、使用者Ｓの下半身を加温することになる。かかる場合、加熱器５に付帯されている感温ヒューズ１３により過度の温度上昇を回避し、使用者Ｓに熱傷を生起しないようにコントロールされている。【００２４】  前述するように、セラミックス体１２が加熱されることにより遠赤外線を発し、この遠赤外線によって単に加熱ヒータによる加温に比較して温熱の浸透効果に優れるもので、あるいは、セラミックス体１２に微量のゲルマニュームを混合した場合にあっては、該セラミックス体１２にマイナスイオンの発生効果が有し、このマイナスイオンによって血流改善効果を有することとなり、前述する遠赤外線による浸透効果を付加した優れた暖房効果を奏するもので、痔、前立腺、婦人病等に対する効果を有する。また、図４に示すように、よもぎ、びわの葉、かきの葉等々の薬効成分を有する薬草類Ｙを、不織布によるパックＰの内部に充填した薬草パックＹＰをセラミックス体１２の上面に載置することによって、薬草の有効成分を温風とともに上昇させ、作用させることにより、薬効による治癒、改善効果を期待しえる。【００２５】  さらに、図５に示されるように、加熱器５に液体タンク１６を付設する場合にあっては、多彩な使用方法を提供することが可能となる。例えば、この温浴椅子１を蒸気浴を行うものとして使用することができる。即ち、前記加熱ヒータ１１によって加熱されたセラミック体１２の上面に、液体タンク１６に連通されているノズル１７から予め設定された噴霧量で水を撒布すると、セラミックス体１２により水は蒸散し、加熱器５の上部に載置された蓋体６の通気孔７を通って上方に流出することとなり、この場合、温浴椅子１の上方部分を適宜の不透過性材料（図示を省略した。）で覆うことにより、サウナ感覚のものとして使用することもでき、かかる場合にあっても、前述すると同様に薬草パックＹＰをセラミックス対１２の上面に載置しておくことによって、薬草の有効成分を蒸気とともに上昇させ、作用させることにより、薬効による治癒、改善効果を期待しえる。【００２６】  また、前記薬草パックＹＰに代えて、液体タンク１６に前述する薬草類から抽出した液状の薬草エキスを充填しておき、これを適宜のタイミングでセラミックス体１２に供給することで前述すると同様の効果を得ることが可能なものであり、さらに、液体タンク１６に香料（液状）を充填し、これを適宜のタイミングでセラミックス体１２に供給することで使用者Ｓは芳香に包まれた状態となり、この状態において身体を加温されることによってアロマセラピーの効果を得ることが可能となるなど、多機能な使用が可能となる。
【図面の簡単な説明】
【００２７】
【図１】  本発明の第１の実施例を示す温浴用椅子の温浴装置の部分断正面図。
【図２】  本発明の第１の実施例を示す温浴用椅子の要部の平面図。
【図３】  本発明の温浴用椅子の使用状態を示す断正面図。
【図４】  本発明の温浴用椅子の他の使用状態を示す断正面図。
【図５】  本発明の第２の実施例を示す温浴用椅子の温浴装置の部分断正面図。
【図６】  本発明の他の実施例を示す温浴用椅子の温浴装置の部分断正面図。
【符号の説明】
【００２８】１：温浴椅子
２：脚部
３：座板
４：開口
５：加熱器
６：蓋体
７：通気孔
８：函体
９：支持脚
１０：底板
１１：加熱ヒータ
１２：セラミック体
１３：感温ヒューズ
１４：開口
１５：送風機
１６：液体タンク
１７：ノズル
１８：バイブレータ
１９：背もたれ
２０：突起
【図１】
2005329228.tif 000003
【図２】
2005329228.tif 000004
【図３】
2005329228.tif 000005
【図４】
2005329228.tif 000006
【図５】
2005329228.tif 000007
【図６】
2005329228.tif 000008